(57)【要約】【課題】燃焼機器のバーナの実際の失火を適切に検知することを可能としつつ、実際の失火が発生していな状況での誤検知を防止することができる制御装置を提供する。【解決手段】失火検知用の炎検知手段７の出力値が所定の失火判定閾値を下回る状態が所定の失火判定時間以上、継続した場合に、バーナ２の失火の発生を検知して、バーナ２への燃料供給を遮断する失火検知手段１１と、炎検知手段７の出力値が、失火判定閾値を下回ってから失火判定時間が経過するまでの期間内で、バーナ２への燃料供給量を一時的に増加させるように、バーナ２への燃料供給量を制御する燃料供給制御手段１２とを備える。【選択図】図１
2014206302.tif 000002
【特許請求の範囲】
【請求項１】
バーナの失火検知用の炎検知手段を備える燃焼機器の制御装置であって、
前記炎検知手段の出力値が、あらかじめ定められた所定の失火判定閾値を下回る状態が、あらかじめ定められた所定の失火判定時間以上、継続するという失火判定条件が成立した場合に、前記バーナの失火の発生を検知して、該バーナへの燃料供給を遮断するように構成された失火検知手段と、
前記炎検知手段の出力値が、前記失火判定閾値を下回ってから、前記失火判定時間が経過するまでの期間内で、前記バーナへの燃料供給量を一時的に増加させるか、又は、該燃料供給量を一時的に所定値以上の供給量にするように、前記バーナへの燃料供給量を制御するように構成された燃料供給制御手段とを備えたことを特徴とする燃焼機器の制御装置。
【請求項２】
請求項１記載の燃焼機器の制御装置において、
前記燃料供給制御手段は、前記バーナへの燃料供給量を一時的に増加させるか、又は、該燃料供給量を一時的に所定値以上の供給量にするように、前記バーナへの燃料供給量を制御することを、前記炎検知手段の出力値が、前記失火判定閾値を下回ってから、前記失火判定時間が経過するまでの期間のうちの始端よりも終端に近い期間内で行うように構成されていることを特徴とする燃焼機器の制御装置。
【請求項３】
請求項１又は２記載の燃焼機器の制御装置において、
前記燃料供給制御手段は、前記バーナへの燃料供給量を一時的に増加させるか、又は、該燃料供給量を一時的に所定値以上の供給量にするように、前記バーナへの燃料供給量を制御することを、前記バーナヘの燃料供給量が第２の所定値以下となっている場合にのみ行うように構成されていることを特徴とする燃焼機器の制御装置。
【発明の詳細な説明】
【技術分野】
【０００１】
本発明は、ガスコンロ等の燃焼機器の燃焼制御装置に関する。
【背景技術】
【０００２】
ガスコンロ等の燃焼機器では、バーナの燃焼炎を検知するために該バーナの近傍に配置された熱電対を備え、該熱電対から出力される熱起電力に基づいて失火が検知された場合に、バーナへの燃料供給を遮断するようにしたものが一般に知られている（例えば特許文献１の段落００１８を参照）。
【先行技術文献】
【特許文献】
【０００３】
【特許文献１】特開２００７−３３３２３４号公報
【発明の概要】
【発明が解決しようとする課題】
【０００４】
失火検知用の熱電対を備える燃焼機器では、瞬時的なノイズ等に起因して、バーナの失火が誤検知されてしまうのを防止するために、通常、熱電対から出力される熱起電力が所定の閾値を下回る状態が、所定の失火判定時間以上、継続した場合に、バーナの失火が生じたことを検知するようにしている。
【０００５】
しかしながら、本願発明者の各種実験、検討によれば、特にバーナの火力を低火力に設定した場合に、熱電対の配置位置のばらつき、バーナの実際の火力のばらつき、あるいは、気流等の影響によって、バーナの失火が発生していない状態であっても、熱電対から出される熱起電力が所定の閾値を下回る状態が、所定の失火判定時間以上、継続する場合があることが判明した。
【０００６】
そして、このような場合には、バーナの失火が発生していないのに、バーナの失火が生じたものと誤検知されて、バーナが消火されてしまうという不都合がある。
【０００７】
また、かかる不都合を解消するために、熱電対から出力される熱起電力と比較する上記閾値をより小さめに設定したり、あるいは、上記失火判定時間を長めに設定すると、実際の失火が発生した場合に、その検知、ひいては、バーナへの燃料供給の遮断が遅れ気味になり、バーナからの生燃料の放出量が増加するので好ましくない。
【０００８】
本発明はかかる背景に鑑みてなされたものであり、燃焼機器のバーナの実際の失火を適切に検知することを可能としつつ、実際の失火が発生していない状況での誤検知を防止することができる制御装置を提供することを目的とする。
【課題を解決するための手段】
【０００９】
本発明の燃焼機器の制御装置は、かかる目的を達成するために、バーナの失火検知用の炎検知手段を備える燃焼機器の制御装置であって、前記炎検知手段の出力値が、あらかじめ定められた所定の失火判定閾値を下回る状態が、あらかじめ定められた所定の失火判定時間以上、継続するという失火判定条件が成立した場合に、前記バーナの失火の発生を検知して、該バーナへの燃料供給を遮断するように構成された失火検知手段と、前記炎検知手段の出力値が、前記失火判定閾値を下回ってから、前記失火判定時間が経過するまでの期間内で、前記バーナへの燃料供給量を一時的に増加させるか、又は、該燃料供給量を一時的に所定値以上の供給量にするように、前記バーナへの燃料供給量を制御するように構成された燃料供給制御手段とを備えたことを特徴とする。
【００１０】
かかる本発明によれば、バーナの燃焼運転時の火力が小さい状況等で、前記炎検知手段の出力値が前記失火判定閾値を下回った場合には、燃料供給制御手段は、前記失火判定時間が経過するまでの期間内で、前記バーナへの燃料供給量を一時的に増加させるか、又は、該燃料供給量を一時的に所定値以上の供給量にするように、前記バーナへの燃料供給量を制御する。
【００１１】
この場合、炎検知手段の出力値は、バーナの火力が大きいほど、大きくなる。このため、バーナの実際の失火が発生しておらず、バーナの燃焼運転が行われている状況では、前記失火判定時間が経過する前におけるバーナへの燃料供給量の上記の制御によって、バーナの火力が一時的に比較的大きな火力となることで、炎検知手段の出力値が前記失火判定閾値以上の大きさに増加するようになる。
【００１２】
このため、前記失火判定条件が成立しないこととなって、前記失火検知手段によって、バーナの失火が誤検知されるのが防止される。ひいては、該失火検知手段によって、バーナへの燃料供給が強制的に遮断されることがなく、バーナの燃焼運転を継続できる。
【００１３】
また、バーナの実際の失火が発生している状況では、前記燃料供給制御手段が、前記失火判定時間が経過する前に、バーナへの燃料供給量を上記の如く制御しても、前記炎検知手段はバーナの燃焼熱が作用しない状態に維持されるので、該炎検知手段の出力値は失火判定閾値を下回る状態に維持される。
【００１４】
このため、前記失火判定時間が経過した時に、前記失火判定条件が成立する。ひいては、失火検知手段によって、バーナへの燃料供給を支障なく遮断することができる。
【００１５】
以上の如く、本発明によれば、燃焼機器のバーナの実際の失火を適切に検知することを可能としつつ、実際の失火が発生していな状況での誤検知を防止することができる。
【００１６】
かかる本発明では、前記燃料供給制御手段は、前記バーナへの燃料供給量を一時的に増加させるか、又は、該燃料供給量を一時的に所定値以上の供給量にするように、前記バーナへの燃料供給量を制御することを、前記炎検知手段の出力値が、前記失火判定閾値を下回ってから、前記失火判定時間が経過するまでの期間のうちの始端よりも終端に近い期間内で行うように構成されていることが好ましい。
【００１７】
これによれば、前記燃料供給制御手段によって、前記バーナへの燃料供給量を一時的に増加させるか、又は、該燃料供給量を一時的に所定値以上の供給量にするように、前記バーナへの燃料供給量が制御されることが、短い時間間隔で頻繁に行われることとなるのを防止することができる。
【００１８】
また、本発明では、前記燃料供給制御手段は、前記バーナへの燃料供給量を一時的に増加させるか、又は、該燃料供給量を一時的に所定値以上の供給量にするように、前記バーナへの燃料供給量を制御することを（以降、この燃料供給量の制御を一時的燃料調整制御ということがある）、前記バーナヘの燃料供給量が第２の所定値以下となっている場合にのみ行うように構成されていることが好ましい。
【００１９】
ここで、バーナの失火が実際に発生していないのに炎検知手段の出力値が前記失火判定閾値を下回ることとなるような状況は、基本的には、バーナへの燃料供給量が小さい場合（バーナの火力が小さい場合）に発生する。そして、バーナへの燃料供給量が比較的大きい場合（バーナの火力が比較的大きい場合）には、基本的には、炎検知手段の出力値が前記失火判定閾値を下回ることはない。
【００２０】
従って、前記一時的燃料調整制御を、バーナヘの燃料供給量が第２の所定値以下となっている場合にのみ行うことで、バーナへの燃料供給量が比較的大きい状態でのバーナの実際の失火が発生して、前記炎検知手段の出力値が前記失火判定閾値を継続的に下回る状態となった場合には、前記一時的燃料調整制御が行われないこととなる。
【００２１】
このため、バーナへの燃料供給量が比較的大きい状態での前記一時的燃料調整制御によって、バーナから放出される燃焼前の燃料がさらに多くなるのを防止することができる。
【００２２】
そして、前記一時的燃料調整制御は、バーナへの燃料供給量が比較的小さい場合にだけ行われるので、バーナの実際の失火が発生した場合に、バーナから放出される燃焼前の燃料の量を極力少なくすることができる。
【図面の簡単な説明】
【００２３】
【図１】本発明の一実施形態の燃焼機器（ガスコンロ）の構成を示す図。
【図２】実施形態の燃焼機器の作動例を説明するためのグラフ。
【発明を実施するための形態】
【００２４】
本発明の第１実施形態を図１及び図２を参照して以下に説明する。
【００２５】
図１参照して、本実施形態の燃焼機器１は、例えばガスコンロである。この燃焼機器１（以降、ガスコンロ１という）は、バーナ２と、バーナ２に燃料ガスを供給する燃料供給路３と、ガスコンロ１の運転制御を行うコントローラ４とを備える。
【００２６】
燃料供給路３には、該燃料供給路３を開閉するための電磁弁５と、該燃料供給路３を流れる燃料ガスの流量を調整するための流量調整弁６とが介装されている。流量調整弁６は、その弁開度を電動モータ等のアクチュエータ６ａにより変化させ得るように構成された電動式の弁である。
【００２７】
バーナ２の近傍には、バーナ２の失火検知用の炎検知手段としての熱電対７が設けられている。この熱電対７は、バーナ２の燃焼炎により加熱されることで熱起電力を発生し、該熱起電力を出力する。該熱起電力は、本発明における炎検知手段の出力値に相当し、バーナ２の火力が大きいほど、大きくなる。
【００２８】
コントローラ４は、本発明における制御装置に相当するものであり、マイクロコンピュータ等を含む電子回路ユニットにより構成されている。このコントローラ４には、熱電対７の出力が入力されると共に、ユーザによるバーナ２の火力調整つまみ８の操作信号等が入力される。
【００２９】
そして、コントローラ４は、図示しないメモリに実装されるプログラムを実行することで実現される機能（ソフトウェアにより実現される機能）、あるいは、ハードウェア構成により実現される機能として、熱電対７の出力（熱起電力の大きさを示す電圧値）に基づいてバーナ２の失火の発生の有無を検知して、失火の発生を検知した場合にそれに応じた制御処理を実行する失火検知部１１と、電磁弁５及び流量調整弁６の動作制御を行うことで、バーナ２への燃料ガスの供給を制御する燃料供給制御部１２とを有する。
【００３０】
上記失火検知部１１及び燃料供給制御部１２は、それぞれ本発明における失火検知手段、燃料供給制御手段に相当するものである。
【００３１】
次に、本実施形態のガスコンロ１の作動を説明する。
【００３２】
ユーザが図示しない点火ボタンを操作すると、コントローラ４は、電磁弁５を開弁制御することで、バーナ２への燃料ガスの供給を開始させると共に、図示しないイグナイタを駆動する。これにより、バーナ２が点火されて該バーナ２の燃焼運転が行われる。
【００３３】
そして、バーナ２の燃焼運転中に、コントローラ４は、熱電対７の出力（熱起電力に応じた電圧値）を逐次取得しつつ、失火検知部１１及び燃料供給制御部１２の処理を実行する。
【００３４】
失火検知部１１は、熱電対７の出力が所定の失火判定閾値を下回る状態が、所定の失火判定時間（例えば３０秒）以上、継続するという失火判定条件が成立した場合に、バーナ２の失火が発生したことを検知する。
【００３５】
具体的には、失火検知部１１は、熱電対７の出力がある時刻で失火判定閾値を下回ると、その時刻からタイマの計時を開始する。このタイマの計時は、熱電対７の出力が失火判定閾値を下回った状態に維持されている限り続行される。そして、失火検知部１１は、タイマの計時時間が失火判定時間に達すると、バーナ２の失火を検知する。
【００３６】
なお、上記失火判定条件に係る失火判定閾値及び失火判定時間は、バーナ２の失火が実際に発生した場合に、当該失火判定条件が成立することとなるようにあらかじめ実験等に基づいて定められている。また、上記タイマの計時は、その計時中に、熱電対７の出力が失火判定閾値以上の大きさに上昇した場合には、中止されると共にその計時時間がリセット（初期化）される。
【００３７】
失火検知部１１は、上記失火判定条件が成立して、バーナ２の失火が発生したことを検知した場合には、前記電磁弁５を強制的に閉弁させるように該電磁弁５を制御する。これにより、バーナ２への燃料ガスの供給が強制的に遮断される。
【００３８】
また、失火検知部１１は、上記失火判定条件が成立しない状況、すなわち、熱電対７の出力が失火判定閾値以上に保たれている状況（前記タイマの計時が行われていない状況）、あるいは、熱電対７の出力が失火判定閾値を下回った後に、失火判定時間が経過する前に、該熱電対７の出力が失火判定閾値以上の大きさに復帰する状況（前記タイマの計時時間が、計時途中でリセットされる状況）では、バーナ２の失火が発生していないと判断する。この場合には、失火検知部１１は、電磁弁５を開弁状態に維持する。
【００３９】
ここで、バーナ２の燃焼運転中における前記流量調整弁６の開度調整（バーナ２への燃料ガスの供給量の調整）によって、バーナ２の火力が小さい火力に調整された状況では、バーナ２に対する熱電対７の配置位置のばらつき（ガスコンロ１の製品毎のばらつき）、あるいは、火力調整つまみ８によるバーナ２の設定火力に対する実際の燃料ガスの供給量のばらつき、あるいは、バーナ２の近辺の気流の影響等に起因して、バーナ２の燃焼運転が正常に行われていても、図２の実線又は破線のグラフで例示する如く、熱電対７の出力が失火判定閾値を下回る場合がある。
【００４０】
さらに、このような状況で、仮に、バーナ２の火力を小さい火力のままに維持する（バーナ２への燃料ガスの供給量を少量の供給量に維持する）と、熱電対７の出力が失火判定閾値を下回る状態が前記失火判定時間以上、継続して、失火判定条件が成立する場合がある。この場合には、失火検知部１１の制御処理によりバーナ２への燃料ガスの供給が遮断されて、バーナ２が強制的に消火される。
【００４１】
例えば、バーナ２の火力を大火力から小火力に変更するように流量調整弁６を調整するすると、図２の破線のグラフ（比較例のグラフ）で例示する如く熱電対７の出力（電圧値）が変化する場合がある。この場合、図示例の破線のグラフでは、バーナ２の燃焼運転が行われていても、時刻ｔ1で熱電対７の出力が失火判定閾値を下回り、以後、この状態が継続する。このため、時刻ｔ1から失火判定時間ΔＴ１が経過した時点で、失火判定条件が成立して、バーナ２が消火されてしまう。
【００４２】
しかるに、本実施形態のガスコンロ１では、コントローラ４の燃料供給制御部１２は、失火検知部１１の処理と並行して、熱電対７の出力を逐次監視している。そして、燃料供給制御部１２は、熱電対７の出力が失火判定閾値を下回った場合には、該熱電対７の出力が失火判定閾値を下回った時点から、失火判定時間が経過するまでの期間内で、一時的にバーナ２への燃料供給量を増加させるように流量調整弁６を制御する。
【００４３】
さらに詳細には、本実施形態では、燃料供給制御部１２は、熱電対７の出力が失火判定閾値を下回った時点からの経過時間（前記タイマの計時時間）が、失火判定時間よりも短いあらかじめ定めた所定の待機時間に達した時に、所定の時間幅（例えば１秒）の一時的な期間だけ、燃料ガスの供給量を、最大供給量以下の範囲内で、現在値よりも所定の増加量だけ増加させるように流量調整弁６を制御する。
【００４４】
この場合、上記所定の時間幅の一時的な期間（以降、燃料増量期間という）における燃料ガスの増加量は、増加後の燃料ガスの供給量でのバーナ２の燃焼運転が行われた場合に、熱電対７の出力が失火判定閾値以上に出力になるようにあらかじめ実験的に設定されている。なお、上記燃料ガスの増加量は、燃料増量期間の直前の燃料ガスの供給量（又は流量調整弁６の開度）に応じて決定するようにしてもよい。
【００４５】
また、上記待機時間は、上記燃料増量期間が、熱電対７の出力が失火判定閾値を下回った時点から前記失火判定時間が経過するまでの期間における始端（該期間の開始時点）よりも終端（該期間の終了時点）に近い期間となるように設定されている。具体的には、本実施形態では、上記待機時間は、失火判定時間（例えば３０秒）よりも短く、且つ、失火判定時間の１／２の時間よりも長い時間（例えば２０秒）に設定されている。
【００４６】
なお、熱電対７の出力が失火判定閾値を下回った時点から待機時間が経過する前に、熱電対７の出力が失火判定値以上の大きさに復帰した場合には、前記タイマの計時時間がリセットされるので、当該待機時間の経過時における燃料ガスの供給量の増加は行われない。
【００４７】
以上の如く、燃料供給制御部１２は、熱電対７の出力が失火判定閾値を下回った場合には、その下回った状態のままで前記待機時間が経過した時に、バーナ２への燃料ガスの供給量を一時的に増加させるように流量調整弁６を制御する。
【００４８】
このため、バーナ２の失火が発生しておらず、正常に燃焼運転が行われている場合には、上記燃料増量期間において一時的にバーナ２の火力が増加する。これにより熱電対７が加熱されることで、該熱電対７の出力が、失火判定閾値以上の大きさに復帰する。
【００４９】
その結果、熱電対７の出力が失火判定閾値を下回った時点から、失火判定時間が経過する前に（前記タイマの計時が終了する前に）、熱電対７の出力が失火判定閾値以上の大きさに復帰することとなる。
【００５０】
このため、前記失火検知部１１は、バーナ２の失火の発生を誤検知することなく、バーナ２の失火が発生していないと判断する。ひいては、バーナ２の燃焼運転が継続する。
【００５１】
例えば、バーナ２の火力を大火力から小火力に変更するように流量調整弁６を調整するすると、図２の破線のグラフ（比較例のグラフ）と同様に、図２の実線のグラフ（実施例のグラフ）で例示する如く熱電対７の出力（電圧値）が変化する場合がある。
【００５２】
この場合、図２の実線のグラフの例では、バーナ２の失火が生じていないものの、時刻ｔ2以後に、熱電対７の出力が失火判定閾値を下回る。しかるに、時刻ｔ2から失火判定時間ΔＴ１よりも短い待機時間ΔＴ２が経過した時刻ｔ3で、一時的にバーナ２への燃料ガスの供給量が増加される（ひいてはバーナ２の火力が増加する）ことで、熱電対７の出力が、失火判定時間ΔＴ１の経過前に失火判定閾値以上の大きさに一時的に復帰する。従って、時刻ｔ2から失火判定時間ΔＴ１が経過しても、バーナ２が消火されることはなく、バーナ２の燃焼運転が継続する。
【００５３】
また、図２の実線のグラフの例では、熱電対７の出力は、燃料ガスの供給量の一時的な増量の終了によって、時刻ｔ4で再び、失火判定閾値を下回るものの、その時刻ｔ4から待機時間ΔＴ２が経過した時刻ｔ5で、一時的にバーナ２への燃料ガスの供給量が増加される（ひいてはバーナ２の火力が増加する）ことで、熱電対７の出力が、失火判定時間ΔＴ１の経過前に、失火判定閾値以上の大きさに復帰する。
【００５４】
以上のように、本実施形態では、バーナ２の火力が小さい火力に調整されて、バーナ２の失火が実際には生じていない状態のままで熱電対７の出力が失火判定閾値を下回る状況となっても、バーナ２が失火検知部１１の制御処理によって消火されてしまうことがなく、一時的な燃料増量期間以外は、小さい火力でのバーナ２の燃焼運転を続行することができる。
【００５５】
また、この場合、燃料増量期間は、一時的な期間であるので、バーナ２の平均的な火力を小さい火力に維持することができる。
【００５６】
さらに、本実施形態では、燃料ガスの一時的な増量を行う燃料増量期間は、熱電対７の出力が失火判定閾値を下回ってから失火判定時間が経過するまでの期間における終端寄りの期間であるので、燃料ガスの一時的な増量が頻繁に行われることが無いようにすることができる。
【００５７】
また、バーナ２の実際の失火が発生した状況では、燃料ガスの一時的な増量を行う燃料増量期間でも熱電対７の出力が増加することはないので、失火判定時間が経過した時に、失火検知部１１の制御処理によって、電磁弁５が閉弁される。これにより、バーナ２への燃料ガスの供給を遮断することができる。
【００５８】
以上の如く、本実施形態によれば、バーナ２の小さい火力での燃焼運転時に、失火の発生が誤検知されることによりバーナ２への燃料ガスの供給の遮断されるのを防止できると共に、バーナ２の実際の失火が発生した場合には、バーナ２への燃料ガスの供給を遮断することができる。
【００５９】
次に、本発明の第２実施形態を説明する。なお、本実施形態は、燃料供給制御部１２の一部の処理だけが前記した第１実施形態と相違するので、その相違点を中心に説明し、第１実施形態と同一の事項については、説明を省略する。
【００６０】
バーナ２の燃焼運転が行われているのに、熱電対７の出力が失火判定閾値を下回るという現象は、バーナ２への燃料ガスの供給量が大きい状態（バーナ２の火力が大きい状態）では基本的には発生せず、当該現象は、バーナ２への燃料ガスの供給量が小さい状態（バーナ２の火力が小さい状態）で発生するものである。そして、バーナ２への燃料ガスの供給量が大きい状態で、熱電対７の出力が失火判定閾値を下回った場合には、バーナ２の失火が実際に発生していると考えられる。
【００６１】
そこで、本実施形態では、燃料供給制御部１２は、熱電対７の出力が失火判定閾値を下回った場合に、失火判定時間の期間内の燃料増量期間でバーナ２の燃料ガスの供給量を一時的に増加させることを、熱電対７の出力が失火判定閾値を下回った時点でのバーナ２への燃料ガスの供給量があらかじめ定めた所定値（これは本発明における第２の所定値に相当する）以下である場合にのみ実行する。
【００６２】
従って、燃料供給制御部１２は、熱電対７の出力が失火判定閾値を下回った時点でのバーナ２への燃料ガスの供給量が上記所定値よりも大きい場合には、失火判定時間の期間内の燃料増量期間でバーナ２の燃料ガスの供給量を一時的に増加させることを実行しない。
【００６３】
ここで、燃料ガスの供給量の上記所定値は、該所定値よりも大きい燃料ガスの供給量でバーナ２の燃焼運転が行われている場合には、熱電対７の出力が定常的に失火判定閾値以上の大きさに保たれるように、実験等に基づき設定されている。
【００６４】
本実施形態は、以上説明した事項以外は、第１実施形態と同じである。
【００６５】
本実施形態によれば、バーナ２への燃料ガスの供給量が比較的大きい状態で、バーナ２の実際の失火が発生して、熱電対７の出力が失火判定閾値を下回った場合に、失火判定時間の期間内の燃料増量期間でバーナ２の燃料ガスの供給量を一時的に増加させることは行われない。
【００６６】
このため、バーナ２の実際の失火が発生した状況で、失火判定時間の期間内でバーナ２から放出される燃焼前の燃料ガスの量を第１実施形態の場合よりも少なくできる。
【００６７】
なお、以上説明した各実施形態では、燃料増量期間において、バーナ２への燃料ガスの供給量を、該燃料増量期間の開始直前の供給量から所定量だけ増加させるようにしたが、上記燃料増量期間における燃料ガスの供給量を、該燃料増量期間の直前の燃料ガスの供給量によらずに、あらかじめ定めた所定値以上の供給量にするように流量調整弁６を制御するようにしてもよい。
【００６８】
また、前記各実施形態では、バーナ２への燃料ガスの供給量を電動式の流量調整弁６により変更し得るようにしたものを例示したが、本発明における燃焼機器は、例えば、バーナに並列接続された複数の燃料供給路に電磁弁を設け、バーナに燃料を供給する燃料供給路を切り替えることで、バーナへの燃料供給量を変更し得るように構成されていてもよい。
【００６９】
また、前記各実施形態では、燃焼機器としてガスコンロ１を例にとって説明したが、本発明における燃焼機器は、ガスコンロ以外の燃焼機器、例えば、暖房器、給湯装置等に備える燃焼機器であってもよい。
【００７０】
また、燃焼機器の燃料は、燃料ガスに限らず、灯油等の燃料であってもよい。
【００７１】
また、前記各実施形態では、燃焼機器の炎検知手段として熱電対７を例示したが、本発明における炎検知手段としては、熱電対７に限らず、フレームロッド、光センサ、バイメタル、測温抵抗体等を採用してもよい。
【符号の説明】
【００７２】
１…ガスコンロ（燃焼機器）、２…バーナ、４…コントローラ（制御装置）、７…熱電対（炎検知手段）、１１…失火検知部（失火検知手段）、１２…燃料供給制御部（燃料供給制御手段）。
【図１】
2014206302.tif 000003
【図２】
2014206302.tif 000004